(57)【要約】【課題】モニタ出力すべきデジタル情報のデコード手順を任意に変更する。【解決手段】デジタル放送信号ＤＳを受信するデジタル放送受信機１は、デジタル放送信号ＤＳからチューナ４により抽出されたデジタル情報をＭＰＥＧデコーダ５で入力するとデコード処理をして画像データが生成される。生成された画像データに基づく画像は映像出力部７を介してモニタ１２に出力される。マイコン１０はＭＰＥＧデコーダ５のデコード処理の手順を示すアルゴリズムのパラメータを外部からの入力情報に基づきメモリから読出す設定することにより変更する。この入力情報はモニタ１２の種別を示す情報、モニタ１２の特性を示す情報、デジタル情報の種別を示す情報、デジタル放送受信機１のユーザを識別する情報を含む。【選択図】        図１
2004328507.tif 000002
【特許請求の範囲】
【請求項１】
デジタル放送信号を受信するデジタル放送受信装置であって、
前記デジタル放送から抽出されたデジタル情報を入力してＭＰＥＧに従うデコード処理をして画像データを生成する画像データ生成手段と、
予め準備されたモニタに対して、前記画像データ生成手段により生成された前記画像データに基づく画像を表示する画像表示手段と、
前記デコード処理の手順を外部からの入力情報に基づき設定変更するデコード手順変更手段とを備え、
前記入力情報は前記モニタの種別を示す情報、前記モニタの特性を示す情報、前記デジタル情報の種別を示す情報、前記デジタル画像生成装置のユーザを識別する情報を含む、デジタル放送受信装置。
【請求項２】
与えられるデジタル情報を入力してデコード処理して画像データを生成する画像データ生成手段と、
予め準備されたモニタに対して、前記画像データ生成手段により生成された前記画像データに基づく画像を表示する画像表示手段と、
前記デコード処理の手順を外部からの入力情報に基づき設定変更するデコード手順変更手段とを備える、デジタル画像生成装置。
【請求項３】
前記入力情報は前記モニタの種別を示す情報を含む、請求項２に記載のデジタル画像生成装置。
【請求項４】
前記入力情報は、前記モニタの特性を示す情報をさらに含む、請求項３に記載のデジタル画像生成装置。
【請求項５】
前記入力情報は前記デジタル情報の種別を示す情報を含む、請求項２から４のいずれか１項に記載のデジタル画像生成装置。
【請求項６】
前記入力情報は前記デジタル画像生成装置のユーザを識別する情報を含む、請求項２に記載のデジタル画像生成装置。
【請求項７】
前記デコード処理はＭＰＥＧに従うことを特徴とする、請求項２から６のいずれか１項に記載のデジタル画像生成装置。
【請求項８】
前記デジタル情報はデジタル放送信号から抽出されて、前記デジタル画像生成装置は前記デジタル放送信号を受信するデジタル放送受信装置に備えられる、請求項２から７のいずれか１項に記載のデジタル画像生成装置。
【発明の詳細な説明】
【０００１】
【発明の属する技術分野】
この発明はデジタル放送受信装置およびデジタル画像生成装置に関し、特に、デジタル情報による画像を表示するためにデコードして画像データを生成する処理機能を有したデジタル放送受信装置およびデジタル画像生成装置に関する。
【０００２】
【従来の技術】
従来のテレビジョンにおけるアナログの映像信号は電流値をユーザ設定により変化させることで色合いやコントラストやシャープネスを変更していた。デジタル放送信号の受信機では、次のようなものがあった。
【０００３】
接続されるモニタの種別に応じてデコード後に映像信号のフォーマットを変換する、すなわち画素数、走査線数などを変換するものが提案されていた（たとえば特許文献１参照）。
【０００４】
また、放送番組の映像と共に、番組表をテレビモニタに表示させる装置において、テレビモニタの種類に応じた番組表の生成パターンを予めメモリに記憶しておきこれを選択的に読出して表示させているものもある（たとえば、特許文献２参照）。
【０００５】
また映像信号形式と表示モニタの種類との組合せに応じて入力映像信号の走査線数を増加させて順次倍速信号に変換した信号、および入力映像信号のフィールド周波数を変換させてフィールド倍速信号に変換した信号のいずれかを選択するようにした装置も提案されている（たとえば特許文献３参照）。
【０００６】
また、デジタルテレビ受信機に繋がっているテレビモニタの信号処理性能が受信機のアップコンバータの性能よりも優れている場合は、受信機を入力信号に対しアップコンバート処理をせずに出力し、逆の場合は受信機は入力信号をテレビモニタが映すことのでき得る中で最適な出力フォーマットになるようにアップコンバートなど処理し出力する手順が示される。このようなフォーマット変換はＭＰＥＧ（Ｍｏｔｉｏｎ  Ｐｉｃｔｕｒｅ  Ｅｘｐｅｒｔｓ  Ｇｒｏｕｐ）デコーダの出力段であってテレビモニタの入力の前段におけるビデオフォーマッタにおいて行なわれている（たとえば特許文献４参照）。
【０００７】
【特許文献１】
特開平１１−１６８６７９号公報
【０００８】
【特許文献２】
特開２００１−１５７１３６公報
【０００９】
【特許文献３】
特開２００２−１０２１９公報
【００１０】
【特許文献４】
特開２００２−２１８３４２公報
【００１１】
【発明が解決しようとする課題】
しかしながら、従来は接続するモニタ装置の特性に合せてＭＰＥＧ展開（伸張・デコード）アルゴリズムや画像フィルタの種類などを変更することはできなかった。そのためモニタの特性に応じて最もよい画質で視聴しているとはいえなかった。
【００１２】
それゆえにこの発明の目的は、デコードの手順を任意に変更できるデジタル放送受信装置およびデジタル画像生成装置を提供することである。
【００１３】
【課題を解決するための手段】
この発明のある局面に従うデジタル放送信号を受信するデジタル放送受信装置は、デジタル放送から抽出されたデジタル情報を入力してＭＰＥＧに従うデコード処理をして画像データを生成する画像データ生成手段と、予め準備されたモニタに対して、画像データ生成手段により生成された画像データに基づく画像を表示する画像表示手段と、デコード処理の手順を外部からの入力情報に基づき設定変更するデコード手順変更手段とを備え、入力情報はモニタの種別を示す情報、モニタの特性を示す情報、デジタル情報の種別を示す情報、デジタル画像生成装置のユーザを識別する情報を含む。
【００１４】
この発明の他の局面に従うデジタル画像生成装置は、与えられるデジタル情報を入力してデコード処理して画像データを生成する画像データ生成手段と、予め準備されたモニタに対して、画像データ生成手段により生成された画像データに基づく画像を表示する画像表示手段と、デコード処理の手順を外部からの入力情報に基づき設定変更するデコード手順変更手段とを備える。
【００１５】
したがって、デジタル情報がデコードされて画像がモニタに出力されるときは、外部から入力情報を与えることにより、このデコード処理の手順を該入力情報に基づき設定変更できる。
【００１６】
この入力情報は好ましくは、モニタの種別を示す情報を含む。したがって、デコード処理の手順をモニタの種別に基づき設定変更できる。
【００１７】
この入力情報は好ましくは、モニタの特性を示す情報をさらに含む。したがって、デコード処理の手順をモニタの種別とモニタの特性とに基づき設定変更できる。
【００１８】
上述の入力情報は好ましくは、デジタル情報の種別を示す情報を含む。したがって、デコード処理の手順をモニタに画像出力されるデジタル情報の種別に基づき設定変更できる。
【００１９】
上述の入力情報は好ましくは、デジタル画像生成装置のユーザを識別する情報を含む。したがって、デコード処理の手順をモニタに画像出力してデジタル情報を視聴するユーザ毎に設定変更できる。
【００２０】
上述のデコード処理手順は好ましくはアルゴリズムであって、アルゴリズムのパラメータを変更することにより手順が設定変更される。したがってデコード処理手順の変更は対応アルゴリズム中のパラメータを変更することにより実現できる。
【００２１】
上述のデコード処理は好ましくはＭＰＥＧに従うから、ＭＰＥＧデコーダでデコード処理される場合に適用できる。
【００２２】
上述のデジタル情報は好ましくはデジタル放送信号から抽出されて、デジタル画像生成装置はデジタル放送信号を受信するデジタル放送受信装置に備えられる。したがって、デジタル放送受信装置におけるデジタル放送信号をモニタ出力するためのデコード手順について上述の特徴を適用することができる。
【００２３】
【発明の実施の形態】
以下、この発明の実施の形態について図面を参照して詳細に説明する。
【００２４】
図１は、各実施の形態に係るデジタル放送受信機の構成図である。図１のデジタル放送受信機１は外部に接続されたアンテナ１３を介して受信したデジタル放送信号ＤＳのうちから、外部のリモコン（リモートコントローラの略）１１から指定される所望チャンネルについての放送信号を抽出し、デコード処理して、外部接続されているモニタ１２に画像または音声を出力する。
【００２５】
デジタル放送受信機１は、アンテナ１３を介して受信したデジタル放送信号ＤＳのうちの所望チャンネルの信号を抽出するチューナ４、チューナ４から出力された放送信号についてデコード処理して出力するＭＰＥＧデコーダ５、後述するパラメータ群６１〜６５を含む各種のデータおよび各種のプログラムを予め記憶しているメモリ６、ＭＰＥＧデコーダ５の出力するデコードされた放送信号中の映像信号についてモニタ１２に表示可能なように処理して出力する映像出力部７、ＭＰＥＧデコーダ５の出力するデコードされた放送信号中の音声信号についてモニタ１２にて音声出力可能なように処理する音声出力部８、リモコン１１がユーザにより操作されることにより出力される赤外線による各種の指令信号を受信するリモコン受信部９、およびリモコン受信部９の指令信号を入力するとともにメモリ６をアクセスし、他の各部を制御するマイコン（マイクロコンピュータの略）１０を備える。
【００２６】
ＭＰＥＧデコーダ５は、モニタ１２にデジタル放送信号ＤＳによる画像とともに、またはこれとは別個に、マイコン１０により与えられる所定の情報に基づく画像を表示するためのＯＳＤ（Ｏｎ  Ｓｃｒｅｅｎ  Ｄｉｓｐｌａｙ）５１を有する。
【００２７】
モニタ１２としてはたとえばＣＲＴ（Ｃａｔｈｏｄｅ  Ｒａｙ  Ｔｕｂｅ）、プラズマディスプレイ、ＬＣＤ（Ｌｉｑｕｉｄ  Ｃｒｙｓｔａｌ  Ｄｉｓｐｌａｙ）などを適用することができる。
【００２８】
デジタル放送信号ＤＳにより、モニタ１２に表示される１画面のためにたとえば１６×１６ドットを１単位として圧縮されたｎ枚のフレームの信号が放送される。ＭＰＥＧデコーダ５は、受信したデジタル放送信号ＤＳの圧縮されたデータを図示されない内部バッファに蓄えながら、展開（伸張）して画面を作るというデコード手順を採用するが、各実施の形態では、このデコード手順を任意に変更させることができる。
【００２９】
たとえば後述する実施の形態１ではモニタ１２の特性に応じて変更させることができる。より具体的には、ＣＲＴは電子ビームによりブラウン管面の蛍光体（スクリーン）を走査しながら当てて発光させて１画面の映像を表示する。またＬＣＤは液晶のアレイにＸおよびＹ方向それぞれについて駆動信号（電圧信号）を印加することで液晶を透過する光により１画面の映像を表示する。ＭＰＥＧデコーダ５は、圧縮されたデータの展開手順を、すなわち展開用のアルゴリズムをモニタ１２の特性に応じて、言い換えるとＣＲＴ、ＬＣＤなどの種別に応じて変更するので、ＣＲＴの特性に適合した画面を作成できまたＬＣＤの特性に適合した画面を作成できる。
【００３０】
ＭＰＥＧデコーダ５の展開用アルゴリズムの変更は、該アルゴリズム中で用いられるフィルタ係数などの各種パラメータを変化させることにより実現できる。そのためのパラメータ群６１〜６５は予めメモリ６に格納されて準備されている。
【００３１】
図２（Ａ）〜（Ｅ）にはパラメータ群６１〜６４の一例が示される。パラメータ群６１は図２（Ａ）のＣＲＴ用アルゴリズム決定パラメータＣｉ（ｉ＝１、２、３、…、ｎ）を、パラメータ群６２は図２（Ｂ）のプラズマディスプレイのためのプラズマ用アルゴリズム決定パラメータＰｉ（ｉ＝１、２、３、…、ｎ）を、パラメータ群６３は図２（Ｃ）のＬＣＤ用アルゴリズム決定パラメータＬｉ（ｉ＝１、２、３、…、ｎ）を、およびパラメータ群６４は図２（Ｄ）のユーザ用アルゴリズム決定パラメータＵｉ（ｉ＝１、２、３、…、ｎ）をそれぞれ含む。図２（Ｅ）にはユーザ用アルゴリズム決定パラメータＵｉの内容例が示される。
【００３２】
本実施の形態では、モニタ１２として接続される媒体としてはＣＲＴ、プラズマディスプレイおよびＬＣＤのいずれかを想定しているが、これ以外の種別のディスプレイが接続されてもよい。ＣＲＴ、プラズマディスプレイおよびＬＣＤは画面の書替え（更新）速度や明るさなどが相互に異なのでパラメータ群６１〜６３それぞれが別個に設けられ、また、同じ種別のモニタであっても機種により、画面の大きさなどが異なるのでパラメータ群６１については複数種類のパラメータＣｉ、パラメータ群６２については複数種類のＰｉ、パラメータ群６３については複数種類のＬｉがそれぞれ準備されている。
【００３３】
また、モニタ１２の種別に拘らずにユーザが所望するような独自のデコード手順を設定できるようにするためにパラメータ群６４が設けられている。パラメータ群６４には、ユーザが所望するような１つ以上のユーザ用アルゴリズム決定パラメータＵｉが含まれる。このユーザ用アルゴリズム決定パラメータＵｉはユーザによりリモコン１１を操作することによりマイコン１０がこれを受理して処理しメモリ６にユーザ用パラメータ群６４として設定すると想定する。
【００３４】
ユーザ用アルゴリズム決定パラメータＵｉは、複数のユーザがデジタル放送受信機１を使い番組を視聴するような場合には、各ユーザ毎にユーザ用アルゴリズム決定パラメータＵｉが設けられてよい。
【００３５】
ユーザ用アルゴリズム決定パラメータＵｉは１種類以上のアルゴリズム用パラメータを含む。図２（Ｅ）ではユーザ用アルゴリズム決定パラメータＵｉにはたとえばアルゴリズム１用パラメータＵＡ１、アルゴリズム２用パラメータＵＡ２およびアルゴリズム３用パラメータＵＡ３の３種類のパラメータが予め登録されていると想定する。
【００３６】
メモリ６にはさらに、モニタ１２の特性とデジタル放送信号ＤＳによる受信放送番組の内容（コンテンツ）とに応じたデコード手順のためのパラメータ群６５が予め格納される。パラメータ群６５は図３に示すように、モニタ１２の種別（ＣＲＴ、プラズマディスプレイ、ＬＣＤの別）毎に対応してパラメータＬＣｉ（ｉ＝１、２、３、…、ｎ）を含む。パラメータＬＣｉは、対応の種別のモニタ１２で画像の動きを重視するようなコンテンツ（たとえば、スポーツ番組など）を表示する場合の動き重視コンテンツのパラメータＰＣ１、画像の精彩さを重視するようなコンテンツ（たとえば、美術品、工芸品、自然風景の番組など）を表示する場合の精彩重視コンテンツのパラメータＰＧ２などを含む。もちろん、さらなる他の種類のコンテンツに対応したパラメータが準備されていてもよい。
【００３７】
上述のようなパラメータ群をモニタ種別またはコンテンツ種別に応じて変更することで、デコード（展開（伸張））して静止画を作るためのアルゴリズムは、モニタ種別またはコンテンツ種別またはユーザ所望内容に応じて変更することができる。ここで、デコード処理により作成される静止画について説明する。
【００３８】
図４（Ａ）にはＭＰＥＧデコーダ５によるデコード処理により作成される静止画２０、２１および２２が示される。作成される静止画により、時刻Ｔ１、Ｔ２およびＴ３の経過に従い円（球体）のオブジェクト１６が時刻Ｔ１において画面の右下から（静止画２０参照）、次の時刻Ｔ２で画面の中央に移動し（静止画２１参照）、さらに時刻Ｔ３で画面の左上に移動する（静止画２２参照）様子をモニタ１２に表示することができる。
【００３９】
ここで、モニタ１２としてＬＣＤが接続されていたと想定する。ＬＣＤは画面の表示更新速度が比較的遅いという特性を有するので、モニタ１２に図４（Ａ）のような静止画２０〜２２を表示する場合は次のようになる。つまり、時刻Ｔ１に静止画２０を表示し、次の時刻Ｔ２にＭＰＥＧデコーダ５により作成された静止画２１がモニタ１２に対して与えられるけれども、モニタ１２の表示更新速度が追いつかず図４（Ｂ）の時刻Ｔ２のように静止画２０の右下のオブジェクト１６がはっきりと表示されながら、同時に画面中央に静止画２１のオブジェクト１６が表示されようとしている。さらに、時刻が経過して時刻Ｔ３にはＭＰＥＧデコーダ５により作成された静止画２２がモニタ１２に与えられるけれども、表示更新速度が追いつかず、図４（Ｂ）の時刻Ｔ３のように静止画２０の右下のオブジェクト１６が消去されつつありながら、同時に右上に静止画２２のオブジェクト１６がはっきりと表示される。
【００４０】
図４（Ｂ）のような画面が表示された場合には、ユーザはオブジェクト１６が画面の左下から右上に一挙にジャンプしたとしか認識できない。そこでモニタ１２のＬＣＤの特性、すなわち表示画面の更新速度に応じたパラメータをＭＰＥＧデコーダ５のデコードのアルゴリズムに適用すると、時刻Ｔ１、Ｔ２およびＴ３において図４（Ｃ）のような３種類の静止画が作成される。図４（Ｃ）の静止画をＬＣＤであるモニタ１２に時刻Ｔ１、Ｔ２およびＴ３の時系列に与えることにより、モニタ１２ではオブジェクト１６が画面の右下から、中央へ、そして左上へとなめらかに移動している様子を表示することができる。
【００４１】
（実施の形態１）
本実施の形態１では、ＭＰＥＧデコーダ５のデコードアルゴリズムをモニタ１２の種別に応じて切換える手順について説明する。図５（Ａ）〜（Ｄ）には、ＭＰＥＧデコードのアルゴリズムを変更するためのユーザ入力を受付ける画面表示例が示される。図６には、モニタ種別に応じたデコードアルゴリズムの切換処理のフローチャートが示される。
【００４２】
アルゴリズムの切換をする場合に、まずマイコン１０に対してモニタ種別の指定がなされる（ステップＳ（以下、単にＳと略す）１）。具体的には、アルゴリズムの切換を所望した場合には、ユーザはリモコン１１を操作してディスプレイについてのメニュー画面の表示を指令するので、該指令信号はリモコン受信部９を介してマイコン１０に与えられて、マイコン１０は与えられた指令に基づいてＯＳＤ５１を介して図５（Ａ）のメニュー画面をモニタ１２に表示する。
【００４３】
図５（Ａ）のメニュー画面のウインドウＷ１で矢印Ｒ１で示す“ＤＩＳＰＬＡＹ”の項目をリモコン１１の操作により指示入力すると、ウインドウＷ２が表示される。続いてウインドウＷ２においてモニタ１２の種別を指定するために矢印Ｒ２で示す“ＤＩＳＰＬＡＹ  ＴＹＰＥ”の項目をリモコン１１の操作により指定入力すると、図５（Ｂ）の画面が切換表示される。図５（Ｂ）の画面を参照してユーザがリモコン１１を操作し、モニタ１２の種別を指定入力する。ここでは、ユーザはモニタ１２の種別および機種を予め知っているので、矢印Ｒ４に示すようにモニタ１２はＣＲＴであり、その大きさは２８’−４８’インチに該当するという種別が指定されている。
【００４４】
上述のようにしてモニタ種別が指定されると（Ｓ１）、マイコン１０が指定されたモニタ種別を読込み（Ｓ２）、読込んだモニタ種別に基づいて対応のデコードアルゴリズムを決定し（Ｓ３）、決定したデコードアルゴリズムをＭＰＥＧデコーダ５に適用する（Ｓ４）。つまり、今回はモニタ種別が指定されたので、マイコン１０はメモリ６のパラメータ群６１をアクセスして指定されたモニタ種別（ＣＲＴ２８’−４８’）に該当するＣＲＴ用アルゴリズム決定パラメータＣｉを読出して、ＭＰＥＧデコーダ５に読出されたパラメータＣｉが与えられる。これによりＭＰＥＧデコーダ５は与えられたパラメータＣｉを用いてデコードアルゴリズムを実行可能な状態となる。以上の手順で、モニタ１２の種別に応じたデコードアルゴリズムの切換が終了する。
【００４５】
このように同一種別のモニタ１２（ＣＲＴ）であっても画面の大きさでデコードアルゴリズムを変更できる。たとえば、同一アルゴリズムを適用して同じ大きさの文字を表示する場合、小型ＣＲＴでは文字が潰れてしまうが大型ＣＲＴでは通常状態（拡大状態）となる。そこで、本実施の形態のように、ＣＲＴの画面の大きさに応じて、たとえばエッジ強調のパラメータを変更するＭＰＥＧデコードアルゴリズムに切換えることで、画面の大きさに準じた最適な画像（文字は潰れがない）を表示することができる。
【００４６】
ここではモニタ１２はＣＲＴで２８’−４８’インチとの特性を有していると想定しているが、これに限定されない。つまり、モニタ１２はＣＲＴに限定されずまた特性に関しては画面の大きさでなく明るさ、画面更新速度などのいずれかが指定されてもよく、また２つ以上の組合せで指定されてもよい。
【００４７】
（実施の形態２）
ＭＰＥＧデコーダ５のデコードアルゴリズムはモニタ種別に拘らず、ユーザが独自に設定している内容に切換えることもできる。これを図７のフローチャートに従い説明する。
【００４８】
具体的には、ユーザはリモコン１１を操作して実施の形態１と同様に図５（Ａ）の画面を表示し、矢印Ｒ１とＲ２で示す項目を選択して図５（Ｂ）の画面を表示させる。この画面において、ユーザは自分が予め個別に設定した所望のデコードのアルゴリズムが適用されるように指定する。たとえば、矢印Ｒ５に示す“ＵＳＥＲｉ”の項目をリモコン１１を操作して選択したとする（Ｓ５、Ｓ６）。
【００４９】
この選択の入力はマイコン１０に与えられるので、マイコン１０は該選択入力に基づいてメモリ６のパラメータ群６４をアクセスしてユーザ用アルゴリズム決定パラメータＵｉを読出し、そこに設定されているアルゴリズム用パラメータの種別を図５（Ｃ）のようにモニタ１２に表示する。図５（Ｃ）の画面を見たユーザが矢印Ｒ６の項目“アルゴリズム２”の適用を所望してリモコン１１を操作して指定する（Ｓ７）。該指定入力はマイコン１０により与えられるので、マイコン１０はこの指定入力に基づいてパラメータＵｉのアルゴリズム２用パラメータＵＡ２を読出してＭＰＥＧデコーダ５に与える。ＭＰＥＧデコーダ５は与えられたアルゴリズム２用パラメータＵＡ２を用いたデコードアルゴリズムを実行可能な状態となる（Ｓ８）。
【００５０】
（実施の形態３）
本実施の形態３ではモニタ１２の種別とモニタ１２に表示されるコンテンツの種別とに基づいて、ＭＰＥＧデコーダ５に適用されるアルゴリズムを切換えることができる。この手順を、図８のフローチャートに従い説明する。
【００５１】
ユーザは前述と同様にして図５（Ａ）の画面を表示させてウインドウＷ１で矢印Ｒ１で示される項目を指定しウインドウＷ２で矢印Ｒ２の項目を指定して、モニタ種別を入力し、同様の手順で矢印Ｒ３の項目“ＣＯＮＴＥＮＴＳ  ＹＰＥ”を指定する。ここで、矢印Ｒ２の項目を指定すると図５（Ｂ）の画面が表示されて矢印Ｒ４に示される項目を指定すると、また矢印Ｒ３の項目を指定すると（図５（Ｄ）の画面が表示される。ここで矢印Ｒ７で示される項目“ＳＰＯＲＴＳ”を指定する。これによりマイコン１０はモニタ種別およびコンテンツ種別の指定を入力する（Ｓ１０でＹＥＳ、Ｓ１１でＹＥＳ）。
【００５２】
そしてマイコン１０は入力した指定情報に基づいてメモリ６のパラメータ群６５をアクセスして指定のモニタ種別とコンテンツ種別に対応のパラメータを特定する。具体的には、たとえばモニタ種別に基づいて図３のパラメータＬＣ１が特定されて、コンテンツ種別すなわち“ＳＰＯＲＴＳ”に基づいてパラメータＬＣ１の動き重視コンテンツのパラメータＰＧ１が特定される。このような手順で指定モニタ種別と指定ンテンツ種別に対応のデコードアルゴリズムのためのパラメータすなわちデコードアルゴリズムの内容を決定できる（Ｓ１２）。
【００５３】
その後、マイコン１０は特定したパラメータＬＣ１をＭＰＥＧデコーダ５に与えることによりＭＰＥＧデコーダ５は所望されるパラメータによるアルゴリズムが実行可能な状態になる（Ｓ１３）。
【００５４】
一方、モニタ種別のみ指定されてコンテンツ種別が指定されなかった場合は（Ｓ１０でＹＥＳ、Ｓ１１でＮＯ）実施の形態１と同様の手順でモニタ種別に対応のパラメータが決定され、すなわち接続されたモニタ種別に対応のデコードアルゴリズムが決定される（Ｓ１１）。決定されたパラメータはＭＰＥＧデコーダ５に与えられることによりＭＰＥＧデコーダ５において決定アルゴリズムを実行させることが可能となる（Ｓ１３）。
【００５５】
なお上述した各実施の形態ではモニタ１２に表示されるコンテンツはアンテナ１３により受信したデジタル放送信号ＤＳに基づく番組のコンテンツを想定しているがこれに限定されない。つまりＭＰＥＧデコーダ５に対してデジタル放送受信機１の外部の装置からデジタル情報が与えられるようにして、該デジタル情報のコンテンツがモニタに表示されるようにしてもよい。
【００５６】
また、デジタル放送受信機１がＨＤ（Ｈａｒｄ  Ｄｉｓｃ）再生装置やＤＶＤ（Ｄｉｇｉｔａｌ  Ｖｅｒｓａｔｉｌｅ  Ｄｉｓｃ）再生装置を内蔵して、これら装置から再生されたデジタル情報によるコンテンツデータがＭＰＥＧデコーダ５を介してデコードされてモニタ１０に画像表示されるようにしてもよい。
【００５７】
また、コンテンツの種別はユーザが指定しているが、対象のコンテンツがデジタル放送信号ＤＳによるデジタル情報に対応するときは、マイコン１０は放送信号とともに送信されてくる番組情報などに基づいてコンテンツの種別を取得するようにしてよい。また、対象のコンテンツがＨＤ再生装置やＤＶＤ再生装置から再生されたデジタル情報による場合には、マイコン１０これらディスクの管理領域から読出された対象コンテンツのタイトルデータに基づいてコンテンツ種別を取得するようにしてよい。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５９】
【発明の効果】
発明によれば、デジタル情報がデコードされて画像がモニタに出力されるときは、外部から入力情報を与えることにより、このデコード処理の手順を該入力情報に基づき設定変更できる。
【図面の簡単な説明】
【図１】この発明の各実施の形態に係るデジタル放送受信機の構成図である。
【図２】（Ａ）〜（Ｅ）は各実施の形態に係るデコードアルゴリズム決定のためのパラメータを説明する図である。
【図３】コンテンツに基づくパラメータを説明する図である。
【図４】（Ａ）〜（Ｃ）はＭＰＥＧデコーダにより作成される静止画とモニタに表示される態様とを示す図である。
【図５】（Ａ）〜（Ｄ）は各実施の形態に係るモニタにおけるアルゴリズム切換のための指示入力の表示画面例を示す図である。
【図６】モニタ種別に応じてデコードアルゴリズムを決定するための手順を示すフローチャートである。
【図７】ユーザの所望するデコードアルゴリズム決定のための処理手順を示すフローチャートである。
【図８】モニタ種別とコンテンツ種別の指定に応じたデコードアルゴリズム決定の手順を示すフローチャートである。
【符号の説明】
１  デジタル放送受信機、５  ＭＰＥＧデコーダ、６  メモリ、１０  マイコン、１１  リモコン、１２  モニタ、６１，６２，６３，６４，６５  パラメータ群、Ｃｉ  ＣＲＴ用アルゴリズム決定パラメータ、Ｐｉ  プラズマ用アルゴリズム決定パラメータ、Ｌｉ  ＬＣＤ用アルゴリズム決定パラメータ、Ｕｉ  ユーザ用アルゴリズム決定パラメータ。
【図１】
2004328507.tif 000003
【図２】
2004328507.tif 000004
【図３】
2004328507.tif 000005
【図４】
2004328507.tif 000006
【図５】
2004328507.tif 000007
【図６】
2004328507.tif 000008
【図７】
2004328507.tif 000009
【図８】
2004328507.tif 000010